(57)【要約】      （修正有）【課題】簡単な構造で製造が容易な釣り船用釣針の保持具を提供する。【解決手段】方形の板体の中央部に孔部を穿孔し、孔部に磁石を嵌着する。粘着ゲルシートを板体の裏面に粘着して、保持具１４を形成する。使用に当っては、船縁１５に取り付けている竿支持金具１６の近くの使い勝手の良い船縁１５上に釣針の種類を選択して吸着させた保持具１４と一体の粘着ゲルシートを粘着させる。竿支持金具１６は、Ｕ字形のつり竿受け部１８と竿尻受け板１９が設けられ、船縁１５に取り付けるためのクランプ脚杆２０を設ける。また、クーラーボックスの適所に、釣針を磁石に吸着させた保持具１４の裏面の粘着ゲルシートにより貼り付けて移動自在としても良い。【選択図】図５
0003160380.tif 000002
【実用新案登録請求の範囲】
【請求項１】
板体１１の内部に孔部１１aを形成し、孔ぶ１１aに磁石１２を嵌着し、板体１１の裏面に粘着ゲルシート１３を粘着して成る釣針保持具１４。
【請求項２】
板体１１が不錆性金属より成る請求項１に記載の釣り針保持具。
【請求項３】
板体１１が樹脂材より成る請求項１に記載の釣り針保持具
【考案の詳細な説明】
【技術分野】
【０００１】
本考案は船縁に取り付け、或いはクーラーボックスに取り付けることが可能な釣針保持具に関する。
【背景技術】
【０００２】
船釣用の竿支持金具として、水平取り付け杆の両端部に締め付け杆を垂設し、一方の締め付け杆に締め付け金具を設けて門型の船縁取り付け枠を形成し、船縁取り付け枠の上部に竿支持金具を設けた考案がある（特許文献１）。
【０００３】
船釣用の竿支持金具として、図６に示すようなものがある。船縁４に取り付けるための２脚のコ字形クランプ部材５を設けると共にクランプ部材５の上面にU字形の竿受け部と竿尻の当たり止め板を一体に設けた竿支持金具３に、ゴム磁石１の上面に複数の凹陥部２を設けて該凹陥部２に仕掛けを吸着させると共に、ゴム磁石１の一端を竿支持金具３の下面と船縁４の間に差し込みクランプ部材５の締め付けでゴム磁石１を船縁４に固定する船小物である。
【先行技術文献】
【特許文献】
【０００４】
【特許文献１】実公平６−５７４５号公報。
【考案の概要】
【考案が解決しようとする課題】
【０００５】
実公平６−５７４５号公報に係る考案は、水平取り付け杆をスライド杆から構成し、水平取り付け杆を長さ調整自在に連結して締め付け杆間巾を調整可能にしたものであるが、水平取り付け杆の上面に釣針等の仕掛けを載せるものではない。
【０００６】
図６に示すものは、ゴム磁石１の上面に複数の凹陥部２を設けて該凹陥部２に仕掛けを吸着させると共に、ゴム磁石１の一端を竿支持金具３の下面と船縁４の間に差し込みコ字形クランプ部材５の締め付けでゴム磁石１を固定するものであるが、船体が強化プラスチック材等の非磁性体の場合、船縁４の上面にゴム磁石１を吸着することができないため固定が不確実である。
【課題を解決するための手段】
【０００７】
図１、図２、図３及び図４に示すように、方形の板体１１の中央部に孔部１１ａを穿孔し、孔部１１ａに磁石１２を嵌着する。
【０００８】
粘着ゲルシート１３を板体１１の裏面に粘着して本考案に係る保持具１４を形成する。
【０００９】
実施状態を示す図５のように、船縁１５に取り付けている竿支持金具１６の近くの使い勝手の良い船縁１５上に釣針１７の種類を選択して吸着させた保持具１４と一体の粘着ゲルシート１３を粘着させる。竿支持金具１６は従来例のようにＵ字形のつり竿受け部１８と竿尻受け板１９が設けられ、船縁１５に取り付けるためのクランプ脚杆２０が設けられている。
【００１０】
また、図示していないがクーラーボックスの適所に釣針１７を磁石１２に吸着させた保持具１４の粘着ゲルシート１３を吸着させると移動自在となる。
【００１１】
また、図示していないが釣針１７に限らず魚種に最適の仕掛けを選択して保持具１４の磁石１２に吸着できる。
【考案の効果】
【００１２】
保持具１４の粘着ゲルシート１３は船縁１５の上面に強固に粘着され、或いは移動自在なクーラーボックスに強固に粘着するため波浪や風雨によって妄り脱落せず釣針１７を紛失しない。
【００１３】
釣針１７や仕掛けも保持具１４の磁石１２に吸着され波浪による船揺れに影響されず常時、釣人の手元に用意される。
【００１４】
而して船縁１５が非磁性体であっても保持具１４を強固に取り付けることができる。更に粘着ゲルシート１３の表面が汚れて粘着力が減少したときはブラシ等で洗浄すると簡単に粘着力を復元できる。
【図面の簡単な説明】
【００１５】
【図１】本考案に係る保持具を示す平面図。
【図２】同、正面図。
【図３】図１におけるＸ-Ｘ断面図。
【図４】同、斜視図。
【図５】本考案の実施状態を示す斜視図。
【図６】船縁の材質が磁性体の場合、上面に仕掛けを吸着させる凹陥部２を設けたゴム磁石１を船縁４の上面に吸着させ且つ、ゴム磁石１の端部を竿支持金具３のクランプ部材５との間に差し込み装着している従来例を示す斜視図。
【考案を実施するための形態】
【００１６】
板体１１の中央部に孔部１１aを穿孔して、孔部１１aに磁石１２を嵌着する。孔部１１ａは図中円孔であるが、係る形状の限定は受けず、磁石を嵌着可能であれば任意の形状で良い。
【００１７】
板体１１はステンレス等の不錆性の金属を用いることも（請求項２）、あるいはアクリル等の樹脂材を用いることも（請求項３）も可能である。
【００１８】
粘着ゲルシート１３を板体１１の裏面に粘着して本考案に係る保持具１４を形成する。
【００１９】
粘着ゲルシート１３はポリスチレン系或いはポリウレタン系等の高粘着性を有するものを使用することが好ましい。
【００２０】
船縁１５に取り付けている竿支持金具１６の近くの使い勝手の良い場所と釣針１７の種類を選択して船縁１５の上面に保持具１４と一体の粘着ゲルシート１３を粘着させる。竿支持金具１６は従来例のようにＵ字形のつり竿受け部１８と竿尻受け板１９が設けられ、船縁１５に取り付けるためのクランプ脚杆２０が設けられている。
【００２１】
釣針１７に限らず魚種に最適の仕掛けを選択して保持具１４に吸着できる。
【００２２】
また、図示していないがクーラーボックスに釣針１７等を吸着させた保持具１４を強固に粘着させると所望の場所へ移動できるため使い勝手が極めて良い。
【産業上の利用可能性】
【００２３】
簡単な構造で製造が容易な釣り船用の釣針の保持具を低価格で提供できるため市場性に富んでいる。また、釣り船用に限らずクーラーボックスを用いた磯釣り用にも汎用できる。
【符号の説明】
【００２４】
１１  板体  
１１a  孔部    
１２  磁石  
１３  粘着ゲルシート
１４  保持具  
１６  竿支持金具  
１５  船縁  
１７  釣針
【図１】
0003160380.tif 000003
【図２】
0003160380.tif 000004
【図３】
0003160380.tif 000005
【図４】
0003160380.tif 000006
【図５】
0003160380.tif 000007
【図６】
0003160380.tif 000008
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
板体１１の内部に孔部１１aを形成し、当該孔部１１aに磁石１２を嵌着し、板体１１の裏面に粘着ゲルシート１３を粘着して成る釣針保持具１４。
【請求項２】
板体１１が不錆性金属より成る請求項１に記載の釣り針保持具。
【請求項３】
板体１１が樹脂材より成る請求項１に記載の釣り針保持具。